(57)【要約】【課題】容易に開封できて内容物の排出を即座に行うことができ、しかも開封の際に開口部の切断片を発生させることがない開封が容易な包装用袋を提供する。【解決手段】袋本体１の下部に形成した下向きに開口する内容物排出用の開口部３を、この開口部３が上向きに開口するように折り返した状態とし、形成された折り返し片部４を袋本体１に接着してある構造とした。また袋本体１は、少なくとも１層以上のポリアミド樹脂層１ａを有する積層フィルムからなるものとすることや、単層のポリエチレン樹脂フィルム１ｃからなるものとすることができる。【選択図】図１
2010023895.tif 000002
【特許請求の範囲】
【請求項１】
袋本体の下部に形成した下向きに開口する内容物排出用の開口部を、この開口部が上向きに開口するように折り返した状態とし、形成された折り返し片部を袋本体に接着してあることを特徴とする開封が容易な包装用袋。
【請求項２】
袋本体は、少なくとも１層以上のポリアミド樹脂層を有する積層フィルムからなる請求項１に記載の開封が容易な包装用袋。
【請求項３】
積層フィルムの最外層がポリアミド樹脂層である請求項２に記載の開封が容易な包装用袋。
【請求項４】
袋本体は、単層のポリエチレン樹脂フィルムからなる請求項１に記載の開封が容易な包装用袋。
【請求項５】
袋本体の下部に先細テーパ状の細径部を形成し、この細径部の先端部に開口部が形成されている請求項１〜４のいずれに記載の開封が容易な包装用袋。
【発明の詳細な説明】
【技術分野】
【０００１】
本発明は、容易に開封できて内容物の排出を即座に行うことができ、しかも開封の際に開口部の切断片を発生させることがない開封が容易な包装用袋に関するものである。
【背景技術】
【０００２】
従来から、例えば園芸用の肥料・土等を包装するための袋や、砂利・砂等の建築材を入れるための袋、あるいは道路の滑り止め材を包装するための袋として、合成樹脂フィルムからなる包装用袋が広く用いられている。
このような包装用袋として、特許文献１に示されるように、隅角部に切取用ミシン目孔を設け、開封に際しては先ずミシン目孔から隅角部を切り離すようにしたものが提案されている。また、出願人は、内容物を散布したり取り出したりする際に、開封が容易でかつ適量ずつ排出し易いように、下部に先細テーパ状の細径部を形成し、この先端を切り取って開口部を形成するようにしたものを開発し、先に出願した（特許文献２）。
【０００３】
しかしながら、従来のいずれの包装用袋においても、袋の角部を切り取って開口部を形成するのが普通であった。このため、切り取った切断片が大量に発生して、その処分が煩わしいという問題点や、ゴミとして路上等に捨てられると環境悪化に繋がるという問題点があった。また、寒い場所で手袋を装着した状態や、雨降りの濡れた状態の中で先端部を正確に切り取って開口部を形成する作業は難しく、素早く開封し、かつ適量だけ排出可能な開口部を形成することは困難であるという問題点があった。更には、袋の角部を手で切り取って開口部を形成する作業はかなりの力が必要で、お年寄りや女性には難しいとの指摘もされていた。
【特許文献１】特開昭５２−１３０７６７号公報
【特許文献２】特開２００７−２０４１１５号公報
【発明の開示】
【発明が解決しようとする課題】
【０００４】
本発明は上記のような問題点を解決して、手袋を装着した状態や雨降りの濡れた状態の中であっても、また力の弱いお年寄りや女性であっても容易に開封できて内容物の排出を即座に行うことができ、しかも内容物を適量ずつ排出可能な開口部を得ることができ、更には開封の際に開口部の切断片が発生せずゴミを生じさせることもない開封が容易な包装用袋を提供することを目的として完成されたものである。
【課題を解決するための手段】
【０００５】
上記課題を解決するためになされた本発明の開封が容易な包装用袋は、袋本体の下部に形成した下向きに開口する内容物排出用の開口部を、この開口部が上向きに開口するように折り返した状態とし、形成された折り返し片部を袋本体に接着してあることを特徴とするものである。
【０００６】
また、袋本体は、少なくとも１層以上のポリアミド樹脂層を有する積層フィルムからなるものとすること、また、この積層フィルムの最外層がポリアミド樹脂層であることが好ましく、それぞれ請求項２、および請求項３に係る発明とする。
【０００７】
また、袋本体は、単層のポリエチレン樹脂フィルムからなるものとすることが好ましく、これを請求項４に係る発明とする。
【０００８】
更に、袋本体の下部に先細テーパ状の細径部を形成し、この細径部の先端部に開口部が形成されていることが好ましく、これを請求項５に係る発明とする。
【発明の効果】
【０００９】
本発明は、袋本体の下部に形成した下向きに開口する内容物排出用の開口部を、この開口部が上向きに開口するように折り返した状態とし、形成された折り返し片部を袋本体に接着してある構造であるので、接着部分を引き剥がして折り返し片部を伸ばせば開口部が下向きに開口した状態となり、この開口部から内容物を適量ずつ排出することが可能となる。また、従来のように開口部形成の際の切断片も発生しない。
【００１０】
また、請求項２に係る発明では、袋本体を、少なくとも１層以上のポリアミド樹脂層を有する積層フィルムからなるものとしたので、包装用フィルムとして必要な引張強度、引裂強度、衝撃強度、突き刺し強度等の基本的な性質を大幅に向上させることができる。
【００１１】
また、請求項３に係る発明では、積層フィルムの最外層をポリアミド樹脂層としたので、引裂強度、衝撃強度、突き刺し強度等に優れており外部からの衝撃があっても破れにくくすることができる。
【００１２】
また、請求項４に係る発明では、袋本体を、単層のポリエチレン樹脂フィルムからなるものとしたので、安価に生産することが可能となる。
【００１３】
また、請求項５に係る発明では、袋本体の下部に先細テーパ状の細径部を形成し、この細径部の先端部に開口部が形成されているものとしたので、開口部の形成が容易となり、かつ内容物を適量ずつ排出することが可能となる。
【発明を実施するための最良の形態】
【００１４】
以下に、図面を参照しつつ本発明の好ましい実施の形態を示す。
図１は、一例として、滑り止め材を収納するための包装用袋を示す正面図、図２および図３はこの袋の成形工程を示す説明図、図４はこの袋の使用状態を示す説明図である。
【００１５】
図において、１は連続成形されたチューブを平袋状に畳んだ袋本体、２は熱溶着して形成したシール部であり、図１では、このシール部２は右下がりに傾斜したテーパ状のものとなっている。また、３はこの袋本体１の下部に形成した下向きに開口する内容物排出用の開口部であり、この開口部３は図２に示されるように、シール部２の下方部の一部を破線部で切り取って形成してある。即ち、図２に示されるように、袋本体１の下部に先細テーパ状の細径部２ａを形成し、この細径部２ａの先端部に開口部３が形成された構造となっている。
【００１６】
また、前記開口部３は、図２の一点鎖線で示す折り返し線６を中心に折り返されて、図３に示されるように、開口部３が上向きに開口した状態とされている。更に、これにより形成される折り返し片部４は、図１に示されるように、袋本体１の側面部に対し熱溶着により接着した構造とされている。
【００１７】
なお、図示のものでは、接着部５はスポット的に熱溶着した２点の点接着部となっているが、折り返し片部４の大きさや充填物等に応じて最適な個数を選択すればよいことは勿論であり、また接着形状についても、点状、破線状、鎖線条、縞状等、剥離しやすい任意の形状を選択することができる。
【００１８】
また、開封に際しては、図４に示されるように、折り返し片部４に指を入れて接着部５を引き剥がすようにすると、折り返し片部４が袋本体１より簡単に剥がれて下向きに開口した内容物排出用の開口部３が形成されることとなる。従って、従来のように袋の角部を切り取って開口部を形成する必要がなく、即座に開封され適量の排出が可能となる。しかも、開口部を形成するために切断片が生ずることもなく、ゴミが発生することもない。
【００１９】
図５〜図７に、その他の開口部３の形成パターンを示す。
図５（ａ）では、袋本体１はチューブを平袋状に畳んだものでなく、２枚の板状フィルムの両側縁をシール部２ｂ、２ｂで熱溶着し、また下端部を右下がりに傾斜したテーパ状のシール部２で熱溶着して細径部２ａを形成した袋体となっている。この細径部２ａの先端部は、破線部で切断されて、開口部３が形成された構造となっている。
次に、前記開口部３は、図２の一点鎖線で示す折り返し線６を中心に折り返されて、図５（ｂ）に示されるように、開口部３が上向きに開口した状態とされ、更に、これにより形成される折り返し片部４は、袋本体１の側面部に対し熱溶着により２点のスポット的な接着部５、５で点接着した構造とされている。
【００２０】
図６（ａ）は、基本的には前述した図２と同様のものであるが、下端部を中心に向けて漏斗状に下がるように傾斜したテーパ状のシール部２で熱溶着し細径部２ａを形成した袋体となっており、この細径部２ａの先端部が破線部で切断されて、開口部３が形成された構造となっている。
次に、前記開口部３は、図２の一点鎖線で示す折り返し線６を中心に折り返されて、図６（ｂ）に示されるように、開口部３が上向きに開口した状態とされ、更に、これにより形成される折り返し片部４は、袋本体１の側面部に対し熱溶着により２点のスポット的な接着部５、５で点接着した構造とされている。
【００２１】
図７（ａ）は、基本的には前述した図７と同様のものであるが、漏斗状の細径部２ａの先端部に四角状の垂下部７形成され、その下端が破線部で切断されて、開口部３が形成された構造となっている。
次に、前記開口部３は、図２の一点鎖線で示す折り返し線６を中心に折り返されて、図７（ｂ）に示されるように、開口部３が上向きに開口した状態とされ、更に、これにより形成される折り返し片部４は、袋本体１の側面部に対し熱溶着により２点のスポット的な接着部５、５で点接着した構造とされている。
【００２２】
次に、袋本体１を構成する樹脂について説明する。
袋本体１は、少なくとも１層以上のポリアミド樹脂層を有する積層フィルムからなるものである。一例を示せば、図８に示すように、表面側からポリアミド樹脂層１ａ、変性ポリエチレン樹脂層１ｂ、ポリエチレン樹脂層１ｃを積層した３層構造からなるものとなっている。その他、図９に示すように、表面側からポリアミド樹脂層１ａ、変性ポリエチレン樹脂層１ｂ、ポリアミド樹脂層１ａ、変性ポリエチレン樹脂層１ｂ、ポリエチレン樹脂層１ｃを積層した５層構造からなるものとしてもよい。
【００２３】
本発明では従来と異なり、袋を形成するフィルムが、６−ナイロンのようなポリアミド樹脂層１ａを少なくとも１層以上有する多層構造からなるものとすることで、フィルムとして必要な引張強度、引裂強度、衝撃強度、突き刺し強度等の基本的な性質を大幅に向上させている。また、開口性に優れているので女性や手袋をしている場合でも簡単に袋を開けることができることとなる。
また、内層となるポリエチレン樹脂層１ｃは、ポリアミド樹脂層のみでは脆さがあるため粘りを付与するとともに、後記するポリエチレン樹脂層１ｃとの接着力を向上させるためのものである。また、中間層である変性ポリエチレン樹脂層１ｂは、前記ポリアミド樹脂層１ａとポリエチレン樹脂層１ｃとを接着一体化するための接着層の役割をするものである。
【００２４】
なお、積層フィルムの最外層をポリアミド樹脂層とした場合は、引裂強度、衝撃強度、突き刺し強度等に優れており外部からの衝撃があっても破れにくくすることができ、このましい。
【００２５】
その他、図１０に示すように、袋本体１を単層のポリエチレン樹脂フィルムからなるものとすることもできる。この場合は、ポリアミド樹脂層を有さないため引張強度、引裂強度、衝撃強度、突き刺し強度等は若干低下するが、内容物によってはポリエチレン樹脂フィルムの引張強度等だけで十分な場合もあり、安価に製造することができるという利点がある。
【００２６】
なお、フィルムの多層構造としては、前述したものに限定されるものでなく、その他、以下のような多層フィルムでもよい。
変性ポリエチレン樹脂層（変性ＰＥ）／ポリアミド樹脂層（Ｎｙ）／変性ＰＥ、
ＰＥ／変性ＰＥ／Ｎｙ／変性ＰＥ／ＰＥ、
Ｎｙ／変性ＰＥ／Ｎｙ／変性ＰＥ／ＰＥ、
ポリブチレンテレフタレート（ＰＢＴ）／変性ＰＥ／Ｎｙ／変性ＰＥ／ＰＥ、
ポリエステル／変性ＰＥ／Ｎｙ／変性ＰＥ／ＰＥ
ポリプロピレン／ポリエチレン
（上記多層フィルムは、左側が外側である）
また、上記フィルムはリサイクル原料を使用することも可能であるため、省資源の点からも有効である。
【００２７】
以上の説明からも明らかなように、本発明は袋本体の下部に形成した下向きに開口する内容物排出用の開口部を、この開口部が上向きに開口するように折り返した状態とし、形成された折り返し片部を袋本体に接着してある構造であり、手袋を装着した状態や雨降りの濡れた状態の中であっても、また力の弱いお年寄りや女性であっても容易に開封できて内容物の排出を即座に行うことができ、しかも内容物を適量ずつ排出可能な開口部を得ることができるものである。また、開封の際に開口部の切断片が発生せずゴミを生じさせることもないという利点もある。
【図面の簡単な説明】
【００２８】
【図１】本発明の実施の形態を示す正面図である。
【図２】本発明の袋の成形工程を示す説明図である。
【図３】本発明の袋の成形工程を示す説明図である。
【図４】本発明の袋の使用状態を示す説明図である。
【図５】その他の実施の形態を示す説明図である。
【図６】その他の実施の形態を示す説明図である。
【図７】その他の実施の形態を示す説明図である。
【図８】袋を形成するフィルムを示す拡大断面図である。
【図９】その他のフィルムを示す拡大断面図である。
【図１０】その他のフィルムを示す拡大断面図である。
【符号の説明】
【００２９】
１  袋本体
１ａ  ポリアミド樹脂層
１ｂ  
１ｃ  ポリエチレン樹脂フィルム
２  シール部
３  開口部
４  折り返し片部
５  接着部
６  折り返し線
１０  内容物
【図１】
2010023895.tif 000003
【図２】
2010023895.tif 000004
【図３】
2010023895.tif 000005
【図４】
2010023895.tif 000006
【図５】
2010023895.tif 000007
【図６】
2010023895.tif 000008
【図７】
2010023895.tif 000009
【図８】
2010023895.tif 000010
【図９】
2010023895.tif 000011
【図１０】
2010023895.tif 000012